(57)【要約】      （修正有）【課題】穴形態コイン収納部の底部側から指やその爪でコインを押し上げる操作をしないで、収納コインを上からの指操作で容易に取り出すことを可能としたコインホルダを提供する。【解決手段】穴形態コイン収納部５は、収納した５００円コインをスライド移動可能な非円形穴形態であり、収納した５００円コインを保持するコイン保持部１２を有し、収納した５００円コインがコイン保持部１２による保持の無い５００円コインがフリー状態位置とされるコイン解放部１３を有し、コイン保持部１２に保持されている５００円コインを、上開口３から入れた指で横移動させてコイン解放部１３側に移動させることが可能とされ、コイン解放部１３に位置しているコインは上開口３を下向きにしたホルダ下向き状態にすると、穴形態コイン収納部５から外に落ち出る形態である。【選択図】図７
2019033863.tif 000002
【特許請求の範囲】
【請求項１】
複数種類のコインを収納するコイン収納部を有するコインホルダ本体の内側に、上方からコインを入れて収納する上開口の穴形態コイン収納部を有するコインホルダにおいて、
前記穴形態コイン収納部が、収納したコインをスライド移動可能な穴形態であり、収納したコインを保持するコイン保持部を有し、収納したコインが前記コイン保持部によっては保持されないコインがフリー状態位置とされるコイン解放部を有し、前記コイン保持部に保持されているコインを前記上開口から入れた指で横移動させて前記コイン解放部に移動させることが可能とされ、前記コイン解放部に在るコインは前記上開口を下向きにしたホルダ下向き状態にすると前記穴形態コイン収納部から外に落ち出る形態であり、
以上のように構成されてなることを特徴とするコインホルダ。
【請求項２】
前記穴形態コイン収納部はその底部が、該底部を全部塞ぐ底壁形態、又は、爪や指で収納コインを押し出し操作不可能形態の穴を有する底壁形態であることを特徴とする請求項１記載のコインホルダ。
【請求項３】
前記穴形態コイン収納部は、前記複数種類のコインのうちの最大幅の最大幅コインを収納するものであることを特徴とする請求項１又は２記載のコインホルダ。
【請求項４】
前記穴形態コイン収納部以外のコイン収納部はコイン横出し形態コイン収納部であり、かつ、前記コイン横出し形態コイン収納部は前記穴形態コイン収納部を囲む形態で複数設けられ、
前記コイン横出し形態コイン収納部は、前記コインホルダ本体の横からコインを出し入れ可能とされた形態であることを特徴とする請求項１、２又は３記載のコインホルダ。
【請求項５】
前記コインは日本国硬貨であり、コイン横出し形態コイン収納部は１円コインを収納する１円コイン収納部が２箇所、１０円コインを収納する１０円コイン収納部が２箇所、１００円コインを収納する１００円コイン収納部が２箇所、５円コインを収納する５円コイン収納部が１箇所、５０円コインを収納する５０円コイン収納部が１箇所であり、前記穴形態コイン収納部は１箇所で前記最大幅コインである５００円コインを収納する５００円コイン収納部であり、
２箇所の前記１円コイン収納部、２箇所の前記１０円コイン収納部、２箇所の前記１００円コイン収納部のコイン収納最大枚数は５枚であることを特徴とする請求項１〜３又は４記載のコインホルダ。
【発明の詳細な説明】
【技術分野】
【０００１】
本発明は、コインホルダに関する。
【背景技術】
【０００２】
先行技術文献として特許文献１のコインホルダが知られている。
＜特許文献１の発明＞
コインケース本体は円形でありそのコインケース本体には、その中央にコイン収納部５ａが設けられ、該コイン収納部５ａを囲むようにコイン収納部５ｂ、５ｂ、コイン収納部５ｃ、５ｃ、コイン収納部５ｄ、５ｄが設けられた、計７箇所のコイン収納部を有する形態である。
全てのコイン収納部は、コインを上方から押し入れる上開口の穴形態であり、底部側にはコインを止める突出形態の爪が設けられ、且つ、底部には指ないし爪を下方から挿入して収納されているコインを上方へ押し上げるための底部開口がそれぞれ設けられている。
底部開口の開口形態は、コイン収納部５ａは星形底部開口、コイン収納部５ｂ、５ｂは円形底部開口、コイン収納部５ｃ、５ｃは三角形底部開口、コイン収納部５ｄ、５ｄは四角形底部開口、という底部開口形態である。
コイン収納部５ｂ、５ｂは同種コインを収納するものであり、コイン収納部５ｃ、５ｃ同種コインを収納するものであり、コイン収納部５ｄ、５ｄ同種コインを収納するものである。
各コイン収納部の内でコイン収納部５ａは最も小径のコインを収納
収納枚数は、第２図の記載からから５枚ずつである。
コインの収納形態例として、「星形を５円コイン、円を１０円コイン、三角を５０円コイン、四角を１００円コイン用等という風に取り決めた」（５頁１７行〜２０行）との記載がある。
この記載から例えば、コイン収納部５ａは５円コインを５枚収納、コイン収納部５ｂ、５ｂは１０円コインを５枚ずつ計１０枚、コイン収納部５ｃ、５ｃは５０円コインを５枚ずつ計１０枚、コイン収納部５ｄ、５ｄは１００円コインを５枚ずつ計１０枚収納することができるものである。
特許文献１の発明は、全てのコイン収納部が、コインを入れて収納する上開口の穴形態コイン収納部であるコインホルダということができる。
【先行技術文献】
【特許文献】
【０００３】
【特許文献１】実開昭51-091208号公報
【発明の概要】
【発明が解決しようとする課題】
【０００４】
特許文献１の発明は、コインケース本体の中央にコイン収納部５ａが設けられ、コイン収納部５ａにあっては収納されているコインを、爪や指で上方へ押し上げるための爪や指が挿入できる底部開口が設けらた形態であるので、係る底部開口を他の部材で塞ぐとこができない、あるは底壁を設けた形態とすることができないという問題を持つものであった。
また、コイン収納部５ａはコインより少し小径とされた穴形態であるので、５枚収納されていると抵抗が大となり、指や爪で押し出すことに違和感や不快感を感じさせる恐れのあるものであった。
【０００５】
本発明は以上のような従来技術の欠点に鑑み、コインケース本体に穴形態のコイン収納部を有するコインホルダにおいて、穴形態コイン収納部の底部側から指やその爪でコインを押し上げる操作をしないで、収納コインを上からの指操作で容易に取り出すことを可能としたコインホルダを提供することを目的としている。
【課題を解決するための手段】
【０００６】
上記目的を達成するために、本発明は次に述べるような構成としている。
＜請求項１記載の発明＞
複数種類のコインを収納するコイン収納部を有するコインホルダ本体の内側に、上方からコインを入れて収納する上開口の穴形態コイン収納部を有するコインホルダにおいて、
前記穴形態コイン収納部が、収納したコインをスライド移動可能な穴形態であり、収納したコインを保持するコイン保持部を有し、収納したコインが前記コイン保持部によっては保持されないコインがフリー状態位置とされるコイン解放部を有し、前記コイン保持部に保持されているコインを前記上開口から入れた指で横移動させて前記コイン解放部に移動させることが可能とされ、前記コイン解放部に在るコインは前記上開口を下向きにしたホルダ下向き状態にすると前記穴形態コイン収納部から外に落ち出る形態であり、
以上のように構成されてなることを特徴とするコインホルダである。
「コイン」は「硬貨」のことである。
【０００７】
＜請求項２記載の発明＞
前記穴形態コイン収納部はその底部が、該底部を全部塞ぐ底壁形態、又は、爪や指で収納コインを押し出し操作不可能形態の穴を有する底壁形態であることを特徴とする請求項１記載のコインホルである。
【０００８】
＜請求項３記載の発明＞
前記穴形態コイン収納部は、前記複数種類のコインのうちの最大幅の最大幅コインを収納するものであることを特徴とする請求項１又は２記載のコインホルダである。
【０００９】
＜請求項４記載の発明＞
前記穴形態コイン収納部以外のコイン収納部はコイン横出し形態コイン収納部であり、かつ、前記コイン横出し形態コイン収納部は前記穴形態コイン収納部を囲む形態で複数設けられ、
前記コイン横出し形態コイン収納部は、前記コインホルダ本体の横からコインを出し入れ可能とされた形態であることを特徴とする請求項１、２又は３記載のコインホルダである。
【００１０】
＜請求項５記載の発明＞
前記コインは日本国硬貨であり、コイン横出し形態コイン収納部は１円コインを収納する１円コイン収納部が２箇所、１０円コインを収納する１０円コイン収納部が２箇所、１００円コインを収納する１００円コイン収納部が２箇所、５円コインを収納する５円コイン収納部が１箇所、５０円コインを収納する５０円コイン収納部が１箇所であり、前記穴形態コイン収納部は１箇所で前記最大幅コインである５００円コインを収納する５００円コイン収納部であり、
２箇所の前記１円コイン収納部、２箇所の前記１０円コイン収納部、２箇所の前記１００円コイン収納部のコイン収納最大枚数は５枚であることを特徴とする請求項１〜３又は４記載のコインホルダである。
【発明の効果】
【００１１】
以上の説明から明らかなように、本発明にあっては次に列挙する効果が得られる。
＜請求項１記載の発明の効果＞
穴形態コイン収納部が、収納したコインをスライド移動可能な穴形態であり、収納したコインを保持するコイン保持部を有し、収納したコインが前記コイン保持部によっては保持されない保持するものが無いコインがフリー状態位置とされるコイン解放部を有し、前記コイン保持部に保持されているコインを前記上開口から入れた指で横移動させて前記コイン解放部に移動させることが可能とされ、前記コイン解放部に在るコインは前記上開口を下向きにしたホルダ下向き状態にすると前記穴形態コイン収納部から外に落ち出る形態であるのである。
よって、穴形態コイン収納部の底は底壁を有する形態にすることを可能とするものであり、底壁を有する形態とすることで該底壁下面に面ファスナ、ホック、磁石などのカバーを着脱自在形態で取り付ける取付け手段を強固な形態で設けることを可能とし、また、カバーを接着剤（粘着剤を含む）により接着する場合でも、十分な接着面積の確保を可能とするものである。
また、底穴があったとしても該底穴を面ファスナ、カバー、プレート、蓋、栓等で塞いでも、穴形態コイン収納部のコインの取出しには何ら影響を与えないという効果を奏する。
すなわち、穴形態コイン収納部の底部を完全な有底形態とすることを可能としたものである。
【００１２】
＜請求項２記載の発明の効果＞
穴形態コイン収納部はその底部が、該底部を全部塞ぐ底壁形態である、又は指で収納コインを押し出し操作不可能形態の穴を有する底壁形態であるので、底壁下面に面ファスナ、ホック、磁石などのカバーを着脱自在形態で取り付ける取付け手段を強固な形態で設けることを可能とし、また、カバーを接着剤（粘着剤を含む）により接着する場合でも、十分な接着面積の確保を可能とするものである。
【００１３】
＜請求項３記載の発明の効果＞
穴形態コイン収納部は、前記複数種類のコインのうちの最大幅の最大幅コインを収納するものであるので、穴形態コイン収納部以外の他コイン収納部を該穴形態コイン収納部を囲う形態で配置した形態においては、他コイン収納部が占める面積を最小とできるので、コインホルダ本体を小さい形態にできるという効果を奏する。
【００１４】
＜請求項４記載の発明の効果＞
請求項１、２又は３記載の発明と同様な効果を奏するとともに、コイン横出し形態コイン収納部は、コインホルダ本体の横からコインを出し入れ可能とされた形態であるので、コインの取出し操作が行い易く、コインの収納枚数が読取りやすい、目の不自由な人でもコインの側面に触ってコインの種類と枚数を認識できるものである。
【００１５】
＜請求項５記載の発明の効果＞
コインは日本国硬貨であり、最も釣銭ないし小銭の出し入れが頻繁であり多い、１円コイン、１０円コイン、１００円コインの収納部は５枚ずつ収納の２箇所設けた１０枚収納形態であるので、常に最適な支払いを意識してコインの支払いを行っていれば、コインホルダに収納できない溢れコインが生じ難いコインホルダを実現するという効果を奏する。
５円コイン、５０円コイン、５００円コインは支払い頻度が少ないコインであり、３〜５枚収納形態でも、コインホルダに収納できない溢れコインが生じ難い。
【図面の簡単な説明】
【００１６】
【図１】本発明の実施例１のカバーを開いた状態の平面図。
【図２】本発明の実施例１のコインを収納した状態と、コインをコイン保持部に位置させた状態の平面図。
【図３】本発明の実施例１のコインがコイン解放部に位置させた状態の平面図。
【図４】本発明の実施例１のコインを収納した状態例のコインホルダの拡大側面図。。
【図５】本発明の実施例１のカバーを取付け該カバーを閉じた状態の拡大側面図。
【図６】本発明の実施例１のカバーの部分平面図、コインホルダの底面図。
【図７】本発明の実施例１の穴形態コイン収納部におけるコインの移動および位置を示した部分拡大平面図。
【図７】本発明の実施例１の側面図中央縦断面図。
【図９】実施例２を示す平面図。
【図１０】実施例２のコインを収納した状態例の平面図（上図）及びコインを引き出した状態例の平面図（下図）。
【図１１】実施例３を示す平面図。
【図１２】実施例４を示す平面図。
【発明を実施するための形態】
【００１７】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１８】
図１ないし図７に示す本発明の実施例において、コインホルダ１は次に述べるような構成となっている。
略円形ないし略八角形の幅８５ｍｍ、厚み  ｍｍのコインホルダ本体２と、
このコインホルダ本体２の内側に設けられた、上方から５００円コインを入れて収納する上開口３で底部を略全面を塞ぐ底壁４を有する穴形態コイン収納部５と、
穴形態コイン収納部５以外の１円コイン、１０円コイン、１００円コイン、５円コイン、５０円コイン、５００円コインのコイン収納部であるコイン横出し形態コイン収納部６ａ、６ｂ、７ａ、７ｂ、８ａ、８ｂ、９、１０とからなっている。
コイン横出し形態コイン収納部６ａ、６ｂ、７ａ、７ｂ、８ａ、８ｂ、９、１０は穴形態コイン収納部５を円で囲む形態で配置されている。
コイン横出し形態コイン収納部６ａ、６ｂ、７ａ、７ｂ、８ａ、８ｂ、９、１０は、コインホルダ本体２の横からコインを出し入れ可能とされた形態であるり、コインは上部および下部からは出し入れできないように、内側に突出した上爪１４ａ、下爪１４ｂが設けられている。
各コイン横出し形態コイン収納部の側壁には、収納されるコインに当たり、コインをその弾性反発力により保持する２本のゴム製、合成樹脂製などの弾性保持部材１１が設けれている。コインは対抗する弾性保持部材１１，１１に挟持形態で保持される。
コインホルダ本体２のコイン横出し形態コイン収納部６ａ、６ｂ、７ａ、７ｂ、８ａ、８ｂ、９、１０を形成する１６か所の先端角は、ポケットに入れたときなどに当たっても痛くないように丸めてある（図では尖がり）。
【００１９】
穴形態コイン収納部５は最大幅コインである５００円コインを収納するところであり、収納した５００円コインをスライド移動可能な非円形穴形態であり、収納した５００円コインをその弾性反発力により保持する２本のゴム製、合成樹脂製などの弾性保持部材１２ａ、１２ｂからなるコイン保持部１２を有し、収納した５００円コインがコイン保持部１２による保持の無い５００円コインがフリー状態位置とされるコイン解放部１３を有し（図７の上図参照）、コイン保持部１２に保持されている５００円コインを（図７の中図参照）、上開口３から入れた指で横移動させてコイン解放部１３側に移動させる（図７の下図参照）ことが可能とされ、コイン解放部１３に位置している（在る）コインは上開口３を下向きにしたホルダ下向き状態にすると、穴形態コイン収納部５から外に落ち出る形態である。
【００２０】
穴形態コイン収納部５は全面開口が好ましいが、少なくともコイン解放部１３の上部が５００円コインが確実容易に落下する開口であればよい。
例えば、コイン保持部１２側に５００円コインの抜けを防止する突起などを設けた形態も本発明の技術駅範囲に含まれるものである。
【００２１】
底壁４には、ホックなどを取り付けるための貫通小孔１５が設けられているが、爪又は指で収納コインを押し出し操作は不可能である。
底壁の形態は、例えば格子形態のもの、網目形態のもの等々多様な形態がある。
【００２２】
コイン横出し形態コイン収納部６ａ、６ｂは、１円コインを収納する１円コイン収納部であり、それぞれ最大収納枚数は５枚である。
コイン横出し形態コイン収納部７ａ、７ｂは、１０円コインを収納する１０円コイン収納部であり、それぞれ最大収納枚数は５枚である。
コイン横出し形態コイン収納部８ａ、８ｂは、１００円コインを収納する１００円コイン収納部であり、それぞれ最大収納枚数は５枚である。
コイン横出し形態コイン収納部９は、５円コインを収納する５円コイン収納部であり、収納枚数は４枚である。
コイン横出し形態コイン収納部１０は、５０円コインを収納する５０円コイン収納部であり、収納枚数は４枚である。
【００２３】
図６に示すように、穴形態コイン収納部５の底部は、外側が深さ０．５ｍｍ〜２ｍｍの凹部１６となっていって、メス面ファスナ１７が設けられている。
コインホルダ１を覆うカバー１９はオス面ファスナ１８を設けていて、メス面ファスナ１７にオス面ファスナ１８を係合させて、着脱形態でコインホルダ１に取り付けることができる。
カバー１９には革製部材、合成樹脂製部材、合成革製部材などの形が崩れ難くかつ柔軟性部材からなっていて、覆った形態ではコインホルダ１にフィットするように折目２０ａ、２０ｂ、２０ｃ、２０ｄが設けられ（折目では無く単なる湾曲部であったり、より曲がりやすい柔らか部位であったりするのもよい。）、メスホック２１、オスホック２２が設けられている。
メス面ファスナ１７、オス面ファスナ１８を例えばメスホック、オスホックなどにするのもよい。
【００２４】
カバー１９とコインホルダ１は、穴形態コイン収納部５と略同じかそれより小面積のメス面ファスナ１７とオス面ファスナ１８によって連結固定されている形態であるので、各コイン横出し形態コイン収納部とカバー１９との間は分離しており、そこに指を入れるとカバー１７は容易に反りないし曲がって、各コイン横出し形態コイン収納部とカバー１９の間に指を容易入ることができる。
これによって、各コイン横出し形態コイン収納部のコインを一枚ずつ掌に取り出すことをスムーズに行うことができ、また、親指と人差し指で全部のコインを摘みそのまま全部のコインをとりだすこともできるようになっている。
また、カバー１９には、コインの価値に対応する数字の１，１，１０，１０，１００，１００、５、５０、５００（「円」をつけるのもよい。）が印刷、レーザ刻印、打ち付け刻印、ワッペン等により表記されている。
また、コインホルダ１の上部面にも、コイン収納部に収納されるコインの価値が小さな数字で表記されているう。
【００２５】
図５に示すように、カバー１９の裏側には指を入れる帯形態の手かかり部２４が設けられている。
手かかり部２４に指を入れることによって、コインホルダを手に保持させた手保持状態とでき、該手保持状態で支払い小銭を取出し、手保持状態のままでコインホルダを保持している手で紙幣の入った財布をもって紙幣を取出すことが可能となる。
カバーを設けない形態ないしカバーの底部が開口している形態では、コインホルダ本体の底部に直接的に手かかり部を設けるのもよい。
手かかり部の形態は、帯状形態のもの、紐状形態のもの、リング形態、フック形態もの、紐に指や手首になどが入るリング部材を設けたストラップ形態（吊り下げ状態となる）のものなど、何らかの形態で指がかかることでコインホルダを手保持状態とできる形態であればどのような形態でもよい。
【００２６】
＜技術的思想＞
コインホルダと、
このコインホルダに設けられた、該コインホルダを手首を含む手に保持するための手かかり部と、を備えてなることを特徴とするコインホルダ。
【００２７】
図５に示すように、コインホルダ１には、剥離紙で覆った粘着面を有するオス面ファスナ１３が添付されている。
例えば、紙幣の入った財布にオス面ファスナ１３を接着し、該オス面ファスナ１３にコインホルダ１を取り付けて使用する等の使用形態を容易に実現する。
【実施例２】
【００２８】
図９、９に示す実施例２のコインホルダ３０は、直径略８０ｍｍ〜９０ｍｍの円盤形態のコインホルダ本体３１と、このコインホルダ本体３１の内側である略中央に設けた略直径４５ｍｍの円形で深さ略１ｍｍ〜５ｍｍの有底のコイン溜め部３２と、コイン溜め部３２を囲う形態で設けたコイン横出し形態コイン収納部６ａ、６ｂ、コイン横出し形態コイン収納部７ａ、７ｂ、コイン横出し形態コイン収納部８ａ、８ｂ、コイン横出し形態コイン収納部９、コイン横出し形態コイン収納部１０と、各コイン横出し形態コイン収納部の間に設けた、収納されたコインが抜け出ないようにその弾性力で挟持形態で保持するための８個の弾性保持部材１１と、備えた構成となっている。
各コイン横出し形態コイン収納部のコインを出し入れするコイン出し入れ開口はコイン溜め部３２に向いて開口されており、コインはコイン溜め部３２側から各コイン横出し形態コイン収納部に押し込みいれて収納する形態となっている。
コイン横出し形態コイン収納部６ａ、６ｂは、１円コインを収納する１円コイン収納部であり、それぞれ最大収納枚数は５枚である。
コイン横出し形態コイン収納部７ａ、７ｂは、１０円コインを収納する１０円コイン収納部であり、それぞれ最大収納枚数は５枚である。
コイン横出し形態コイン収納部８ａ、８ｂは、１００円コインを収納する１００円コイン収納部であり、それぞれ最大収納枚数は５枚である。
コイン横出し形態コイン収納部９は、５円コインを収納する５円コイン収納部であり、収納枚数は４枚である。
コイン横出し形態コイン収納部１０は、５０円コインを収納する５０円コイン収納部であり、収納枚数は４枚である。
【００２９】
図１０において、１２６円を取出すれいを説明する。
コイン横出し形態コイン収納部８ａの１００円コイン（１枚収納されている）に指をあて内側に引き移動させてコイン溜め部３２に入れる。
コイン横出し形態コイン収納部７ａの１０円コイン（２枚収納されている）に指をあて内側に引き移動させ、この操作を２回行い１０円コイン２枚をコイン溜め部３２に入れる。
コイン横出し形態コイン収納部９の５円コイン（１枚収納されている）に指をあて内側に引き移動させてコイン溜め部３２に入れる。
コイン横出し形態コイン収納部６ｂの１円コイン（１枚収納されている）に指をあて内側に引き移動させてコイン溜め部３２に入れる。
コインホルダを下向きすとコイン溜め部３２内の１２６円のコインは落ちるので、他方の掌で受ける。
【００３０】
各コイン横出し形態コイン収納部の最端は完全に壁によって閉じ形態となっているが、収納コインの一部が外側に露出し突き出す、収納コイン直径よりも幅の狭い開口形態とするのもよい。
コインホルダーの直径を小さいものとできる。例えば６５ｍｍ〜８０ｍｍ。
【００３１】
＜技術的思想＞
コインホルダ本体と、
このコインホルダ本体の内側に設けられた、コインをフリー状態で溜めることができるコイン溜め部又は前記コインを落下させ出す貫通開口と、
前記コイン溜め部又は前記貫通開口のを囲う形態で設けた異なる種類のコインを重ね収納する複数のコイン横出し形態コイン収納部と、前記複数のコイン横出し形態コイン収納部の間に設けた、収納されたコインが抜け出ないようにその弾性力で挟持形態で保持するための弾性保持部材と、備えるとともに、
前記複数のコイン横出し形態コイン収納部のコインを出し入れするコイン出し入れ開口は、前記コイン溜め部又は前記貫通開口に向いて開口されており、
コインは前記コイン溜め部側又は前記貫通開口側から各コイン横出し形態コイン収納部に押し込みいれて収納し、
前記複数のコイン横出し形態コイン収納部に収納されているコインの取出しは、コインをお前記コイン溜め部側又は前記貫通開口側に向けて移動させることにより取り出す形態であることを特徴とするコインホルダ。
【実施例３】
【００３２】
図１１に示す実施例３において前記実施例２と主に異なる点は、コインホルダ本体を、各コイン横出し形態コイン収納部の底部およびコイン溜め部を有さない、貫通開口形態である貫通開口３５としたコインホルダ本体３６を形成した点にある。
コイン横出し形態コイン収納部のコイン内側に引き移動させて貫通開口３５に入ると、コインはそのまま落下し出るので、例えば他方の手でコインを受け止める。
【実施例４】
【００３３】
図１２に示す実施例４において前記実施例２と主に異なる点は、コインホルダ本体をコイン溜め部３２内に穴形態コイン収納部５を設けたコインホルダ本体４０を形成した点にある。
【産業上の利用可能性】
【００３４】
本発明は、コインホルダを製造、販売する産業で利用される。
【符号の説明】
【００３５】
￥１：１円コイン、
￥１０：１０円コイン、
￥１００：１００円コイン、
￥５：５円コイン、
￥５０：５０円コイン、
￥５００：５００円コイン、
１：コインホルダ、
２：コインホルダ本体、
３：上開口、
４：底壁、
５：穴形態コイン収納部、
６ａ、６ｂ：コイン横出し形態コイン収納部、
７ａ、７ｂ：コイン横出し形態コイン収納部、
８ａ、８ｂ：コイン横出し形態コイン収納部、
９：コイン横出し形態コイン収納部、
１０：コイン横出し形態コイン収納部、
１１：弾性保持部材、
１２ａ：弾性保持部材、
１２ｂ：弾性保持部材、
１２：コイン保持部、
１３：コイン解放部、
１４a：上爪、
１４ｂ：下爪、
１５：貫通小孔、
１６：凹部、
１７：メス面ファスナ、
１８：オス面ファスナ、
１９：カバー、
２０ａ、２０ｂ、２０ｃ、２０ｄ：折目、
２１：メスホック、
２２：オスホック、
２３：オス面ファスナ、
２４：手かかり部、
３０：コインホルダ、
３１：コインホルダ本体、
３２：コイン溜め部、
３５：貫通開口、
３６：コインホルダ本体、
４０：コインホルダ本体。
【図１】
2019033863.tif 000003
【図２】
2019033863.tif 000004
【図３】
2019033863.tif 000005
【図４】
2019033863.tif 000006
【図５】
2019033863.tif 000007
【図６】
2019033863.tif 000008
【図７】
2019033863.tif 000009
【図８】
2019033863.tif 000010
【図９】
2019033863.tif 000011
【図１０】
2019033863.tif 000012
【図１１】
2019033863.tif 000013
【図１２】
2019033863.tif 000014
【手続補正書】
【提出日】平成29年10月17日(2017.10.17)
【手続補正１】
【補正対象書類名】明細書
【補正対象項目名】００１６
【補正方法】変更
【補正の内容】
【００１６】
【図１】本発明の実施例１のカバーを開いた状態の平面図。
【図２】本発明の実施例１のコインを収納した状態と、コインをコイン保持部に位置させた状態の平面図。
【図３】本発明の実施例１のコインがコイン解放部に位置させた状態の平面図。
【図４】本発明の実施例１のコインを収納した状態例のコインホルダの拡大側面図。。
【図５】本発明の実施例１のカバーを取付け該カバーを閉じた状態の拡大側面図。
【図６】本発明の実施例１のカバーの部分平面図、コインホルダの底面図。
【図７】本発明の実施例１の穴形態コイン収納部におけるコインの移動および位置を示した部分拡大平面図。
【図８】本発明の実施例１の側面図中央縦断面図。
【図９】実施例２を示す平面図。
【図１０】実施例２のコインを収納した状態例の平面図（上図）及びコインを引き出した状態例の平面図（下図）。
【図１１】実施例３を示す平面図。
【図１２】実施例４を示す平面図。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
複数種類のコインを収納するコイン収納部を有するコインホルダ本体（２）の内側に、上方からコインを入れて収納する上開口（３）の穴形態コイン収納部（５）を有するコインホルダにおいて、
前記穴形態コイン収納部（５）が、収納したコインをスライド移動可能な穴形態であり、収納したコインを保持するコイン保持部（１２）を有し、収納したコインが前記コイン保持部（１２）によっては保持されないコインがフリー状態位置とされるコイン解放部（１３）を有し、前記コイン保持部（１２）に保持されているコインを前記上開口（３）から入れた指で前記穴形態コイン収納部（５）内を横移動させて前記コイン解放部（１３）に移動させて前記フリー状態とすることが可能とされ、前記コイン解放部（１３）に在るコインは前記上開口（３）を下向きにしたホルダ下向き状態にすると前記穴形態コイン収納部（５）から前記フリー状態に在ることで外に落ち出る形態であり、
前記コイン保持部（１２）は、収納したコインを弾性反発力により保持するようになっていて、前記コイン保持部（１２）に保持されているコインは前記ホルダ下向き状態にしても、前記弾性反発力に保持されて前記穴形態コイン収納部（５）から外に落ちることはなく、
コインの前記フリー状態は、前記コイン解放部（１３）および前記上開口（３）と収納されているコインの全周との間に隙間が形成されてなる、前記ホルダ下向き状態にすると前記コイン解放部（１３）のコインが前記穴形態コイン収納部（５）から外に落ち出る状態であり、
以上のように構成されてなることを特徴とするコインホルダ。
【請求項２】
前記穴形態コイン収納部はその底部が、該底部を全部塞ぐ底壁形態、又は、爪や指で収納コインを押し出し操作不可能形態の穴を有する底壁形態であることを特徴とする請求項１記載のコインホルダ。
【請求項３】
前記穴形態コイン収納部は、前記複数種類のコインのうちの最大幅の最大幅コインを収納するものであることを特徴とする請求項１又は２記載のコインホルダ。
【請求項４】
前記穴形態コイン収納部以外のコイン収納部はコイン横出し形態コイン収納部であり、かつ、前記コイン横出し形態コイン収納部は前記穴形態コイン収納部を囲む形態で複数設けられ、
前記コイン横出し形態コイン収納部は、前記コインホルダ本体の横からコインを出し入れ可能とされた形態であることを特徴とする請求項１、２又は３記載のコインホルダ。
【請求項５】
前記コインは日本国硬貨であり、コイン横出し形態コイン収納部は１円コインを収納する１円コイン収納部が２箇所、１０円コインを収納する１０円コイン収納部が２箇所、１００円コインを収納する１００円コイン収納部が２箇所、５円コインを収納する５円コイン収納部が１箇所、５０円コインを収納する５０円コイン収納部が１箇所であり、前記穴形態コイン収納部は１箇所で前記最大幅コインである５００円コインを収納する５００円コイン収納部であり、
２箇所の前記１円コイン収納部、２箇所の前記１０円コイン収納部、２箇所の前記１００円コイン収納部のコイン収納最大枚数は５枚であることを特徴とする請求項１〜３又は４記載のコインホルダ。
【手続補正２】
【補正対象書類名】明細書
【補正対象項目名】０００６
【補正方法】変更
【補正の内容】
【０００６】
上記目的を達成するために、本発明は次に述べるような構成としている。
＜請求項１記載の発明＞
複数種類のコインを収納するコイン収納部を有するコインホルダ本体（２）の内側に、上方からコインを入れて収納する上開口（３）の穴形態コイン収納部（５）を有するコインホルダにおいて、
前記穴形態コイン収納部（５）が、収納したコインをスライド移動可能な穴形態であり、収納したコインを保持するコイン保持部（１２）を有し、収納したコインが前記コイン保持部（１２）によっては保持されないコインがフリー状態位置とされるコイン解放部（１３）を有し、前記コイン保持部（１２）に保持されているコインを前記上開口（３）から入れた指で前記穴形態コイン収納部（５）内を横移動させて前記コイン解放部（１３）に移動させて前記フリー状態とすることが可能とされ、前記コイン解放部（１３）に在るコインは前記上開口（３）を下向きにしたホルダ下向き状態にすると前記穴形態コイン収納部（５）から前記フリー状態に在ることで外に落ち出る形態であり、
前記コイン保持部（１２）は、収納したコインを弾性反発力により保持するようになっていて、前記コイン保持部（１２）に保持されているコインは前記ホルダ下向き状態にしても、前記弾性反発力に保持されて前記穴形態コイン収納部（５）から外に落ちることはなく、
コインの前記フリー状態は、前記コイン解放部（１３）および前記上開口（３）と収納されているコインの全周との間に隙間が形成されてなる、前記ホルダ下向き状態にすると前記コイン解放部（１３）のコインが前記穴形態コイン収納部（５）から外に落ち出る状態であり、
以上のように構成されてなることを特徴とするコインホルダである。
「コイン」は「硬貨」のことである。